(57)【特許請求の範囲】
【請求項１】
放電ランプを覆うための放電ランプ用保護カバー上に、前記放電ランプの両端子間ないし両口金間に接続される抵抗回路を設けたことを特徴とする放電ランプ用保護カバー。
【請求項２】
放電ランプを覆うための放電ランプ用保護カバー上に、前記放電ランプの両端子間ないし両口金間に接続されるコンデンサ回路を設けたことを特徴とする放電ランプ用保護カバー。
【請求項３】
放電ランプに高電圧を印加して点灯させる放電ランプ点灯装置において、
放電ランプの点灯前に取り外すことが予定されている請求項１または請求項２に記載の放電ランプ用保護カバーで覆われた放電ランプの両端子間に放電ランプの点灯前に検知用電圧を印加し、放電ランプの両端子間の電圧を検出して導通状態を検知する導通検知手段と、該導通検知手段の検知結果に基づき、通知信号を出力する通知手段とを設けたことを特徴とする放電ランプ点灯装置。
【請求項４】
前記導通検知手段の検知結果に基づき、前記放電ランプの点灯を制限する点灯制限手段を設けたことを特徴とする請求項３に記載の放電ランプ点灯装置。
【請求項５】
放電ランプの両端子間または両口金間に接続された抵抗回路またはコンデンサ回路が設けられた放電ランプ用保護カバーの取り忘れ検知方法であって、前記放電ランプの始動前に、前記放電ランプの入力端子間の導通状態が検知されたときは、前記放電ランプに前記放電ランプ用保護カバーが被着されていることを通知することを特徴とする放電ランプ用保護カバー取り忘れ検知方法。
【発明の詳細な説明】
【０００１】
【発明の属する技術分野】
本発明は、放電ランプを保護するための放電ランプを覆う放電ランプ用保護カバー、および放電ランプに放電ランプ用保護カバーが覆われていることを検知することを可能にした放電ランプ点灯装置に関する。
【０００２】
【従来の技術】
従来、バルブ内圧が高い放電ランプについては、製造後梱包され、梱包箱から取り出されて放電ランプ点灯装置に取り付けられるまでの間、放電ランプに防爆用の保護カバーが取り付けられている。
【０００３】
また、近年においては、放電ランプの取り扱いに対する安全意識が高まると同時に、ＰＬ法の施行等により製造者側の責任が問われるケースが増大してきており、バルブ内圧の高いランプ以外のランプについても、放電ランプの取り扱い上の安全を考慮して、放電ランプに保護カバーが取り付けられるようになってきている。
【０００４】
【発明が解決しようとする課題】
ところで、上記のごとく、保護カバーは、梱包箱から放電ランプが取り出されて放電ランプ装置に取り付けられるまでの間、放電ランプが保護カバーで覆われていないと危険であるため、安全上、保護カバーが放電ランプに取り付けられた状態で作業が行われている。しかし、作業後に放電ランプから保護カバーを取り忘れることが懸念されている。
【０００５】
仮に、放電ランプから保護カバーを取り忘れた状態で、放電ランプを点灯すると、放電ランプから発せられる熱や光によって保護カバーが発煙、発火、さらにはランプ封体に保護カバーが焼き付いてしまい、ランプを破損してしまう畏れがある。
【０００６】
本発明の目的は、上記の従来技術の問題点に鑑み、放電ランプの放電ランプ点灯装置への設置後、放電ランプを覆っている保護カバーの取り忘れを確実に防止することを可能にした放電ランプ用保護カバー、および放電ランプに放電ランプ用保護カバーの取り忘れを検知することを可能にした放電ランプ点灯装置を提供することにある。
【０００７】
【課題を解決するための手段】
本発明は、上記の課題を解決するために、次のような手段を採用した。
第１の手段は、放電ランプを覆うための放電ランプ用保護カバー上に、前記放電ランプの両端子間ないし両口金間に接続される抵抗回路を設けたことを特徴とする。
【０００８】
第２の手段は、放電ランプを覆うための放電ランプ用保護カバー上に、前記放電ランプの両端子間ないし両口金間に接続されるコンデンサ回路を設けたことを特徴とする。
【０００９】
第３の手段は、放電ランプに高電圧を印加して点灯させる放電ランプ点灯装置において、放電ランプの点灯前に取り外すことが予定されている請求項１または請求項２に記載の放電ランプ用保護カバーで覆われた放電ランプの両端子間に放電ランプの点灯前に検知用電圧を印加し、放電ランプの両端子間の電圧を検出して導通状態を検知する導通検知手段と、該導通検知手段の検知結果に基づき、通知信号を出力する通知手段とを設けたことを特徴とする。
【００１０】
第４の手段は、第３の手段において、前記導通検知手段の検知結果に基づき、前記放電ランプの点灯を規制する点灯規制手段を設けたことを特徴とする。
【００１１】
第５の手段は、放電ランプの両端子間または両口金間に接続された抵抗またはコンデンサが設けられた放電ランプ用保護カバーの取り忘れ検知方法であって、前記放電ランプの始動前に、前記放電ランプの入力端子間の導通状態が検知されたときは、前記放電ランプに前記放電ランプ用保護カバーが被着されていることを通知することを特徴とする。
【００１２】
【発明の実施の形態】
本発明の第１の実施形態を図１ないし図３を用いて説明する。
図１は、放電ランプが本実施形態の発明に係る放電ランプ用保護カバーによって覆われている状態を示す平面図である。
【００１３】
同図において、１は放電ランプ、２は放電ランプ１のランプ封体、３は放電ランプ１の口金、４は放電ランプ１のランプ封体２を覆うように設けられた放電ランプ用保護カバー、４１は保護カバー本体、４２は放電ランプ用保護カバー４上に形成される抵抗回路、５は放電ランプ１の端子、６は放電ランプ用保護カバー４と放電ランプ端子５間を接続するために設けられるリード線である。
【００１４】
同図に示すように、放電ランプ用保護カバー４は、ランプ封体２を一様に覆うと共に、保護カバー本体４１の表面の一部に、カーボン等を用いた導電性塗料からなる抵抗回路４２が形成されている。さらにこの形成された抵抗回路４２の両端は、リード線６を介して、放電ランプ１両端の端子５，５間ないし口金３，３間に接続されている。
ここで、抵抗回路４２が形成されている放電ランプ用保護カバー４が用いられるのは、放電ランプ点灯装置に放電ランプを起動するための直流スタータが用いられている場合に適用される。
【００１５】
図２は、本実施形態の発明に係る放電ランプ用保護カバー４によって放電ランプ１が覆われていることを検知することを可能にした放電ランプ点灯装置の構成を示す図である。
同図に示すように、この放電ランプ点灯装置は、交流電源１１、交流電圧を整流平滑する１次整流平滑回路１２、１次整流平滑回路１２から出力される直流電圧を交流電圧に変換するスイッチング回路１３、スイッチング回路１３から出力される交流電圧を高圧の交流電圧に変換する昇圧トランス１４、交流高電圧を整流平滑して直流高電圧に変換する２次整流平滑回路１５、放電ランプ１に供給される電流・電圧を検出する電流電圧検出回路１６、放電ランプ１の点灯時、放電ランプ１の電極間に直流高電圧を印加してブレークダウン（絶縁破壊）を起こさせる直流スタータ１７、放電ランプ点灯装置の各部を制御するための制御信号を出力する制御回路１８、放電ランプ点灯装置の各部に直流電圧を供給する補助電源回路１９等によって構成されている。
【００１６】
ここで、何かの理由で、放電ランプ１を覆っている放電ランプ用保護カバー４を外し忘れ、放電ランプ用保護カバー４が被着された状態で放電ランプ１を点灯しようとすると、直流スタータ１７からの直流高電圧が放電ランプ１および放電ランプ１の端子５，５間に接続されている放電ランプ用保護カバー４の抵抗回路４２に印加される。しかし、この直流高電圧は抵抗回路４２を介してバイパスされるために、放電ランプ１には直流高電圧は印加されず、ブレークダウン（絶縁破壊）に至らず、放電ランプ１は点灯することはない。これにより、放電ランプ１が点灯しないことによって、作業者は放電ランプ用保護カバー４が取り付けられた状態にあることを確認することができる。
【００１７】
上記の放電ランプ点灯装置の一例として、直流スタータ１７の出力抵抗を１００ＭΩ、出力電圧を８ｋＶ、放電ランプ１の最低ブレークダウン電圧を１ｋＶに設定した場合について考えると、放電ランプ用保護カバー４の抵抗回路４２の抵抗値を５ＭΩに設定すると、放電ランプ用保護カバー４が取り付けられている場合、直流スタータ１７の出力電圧は４００Ｖに低下する。そのため、放電ランプ１の最低ブレークダウン電圧は１ｋＶを下回ることとなり、放電ランプ１は点灯することはない。
【００１８】
このように、本実施形態の発明によれば、放電ランプ１を覆う放電ランプ用保護カバー４上に、放電ランプ１の両端子５間または両口金３間に接続される抵抗回路４２を設けたので、放電ランプ１に放電ランプ用保護カバー４を被着したまま放電ランプ１を点灯しようとすると放電ランプ１は点灯しないので、放電ランプ１に放電ランプ用保護カバー４が被着された状態にあることを検知することが可能となる。
【００１９】
図３は、図１に示す放電ランプ用保護カバー４の抵抗回路４２とは異なる抵抗回路を有する放電ランプ用保護カバーの構成を示す図であり、図３（ａ）は放電ランプ用保護カバーの平面図、図３（ｂ）は放電ランプ用保護カバーの断面側面図、図３（ｃ）は放電ランプ用保護カバーの等価回路を示す図である。
これらの図において、７は放電ランプ用保護カバー、７１は保護カバー本体、７２は表面実装型の抵抗、７３は保護カバー本体７１上に形成された導電路である。
この放電ランプ用保護カバー７は、保護カバー本体７１の表面に表面実装型の抵抗７２が複数個配置されており、ここでは、表面実装型の抵抗７２を金属膜ないしは導電塗料等からなる導電路７３に３個直列接続したものを４つ並列に接続して構成した場合を示すものである。
この放電ランプ用保護カバー７も、図１に示した放電ランプ用保護カバー４と同様に、放電ランプ用保護カバー７の導電路７３の両端部（ＡＢ）はそれぞれ放電ランプ１の両端の端子５，５ないし口金３，３間にリード線等を介して接続される。
この放電ランプ用保護カバー７は、図１に示す放電ランプ用保護カバー４の抵抗回路４２と比べて、任意個数の表面実装型の抵抗７２を適宜直並列に接続することができるので、抵抗回路の抵抗値を必要に応じて任意の値に設定することが可能である。
【００２０】
次に、本発明の第２の実施形態を図４および図５を用いて説明する。
本実施形態の放電ランプ用保護カバーは、第１の実施形態のものが放電ランプ用保護カバー上に抵抗回路が形成されていたのに対して、放電ランプ用保護カバー上にコンデンサ回路が形成されている点で相違する。
【００２１】
図４は、放電ランプ用保護カバー上にコンデンサ回路２０が形成されている放電ランプ用保護カバーによって放電ランプ１が覆われていることを検知することを可能にした放電ランプ点灯装置の構成を示す図である。
ここで、コンデンサ回路２０が形成されている放電ランプ用保護カバーが用いられるのは、放電ランプ点灯装置に放電ランプを起動するための交流スタータが用いられている場合に適用される。
同図において、２０は放電ランプ用保護カバー上に形成されているコンデンサ回路、２１は、放電ランプ１の点灯時、放電ランプ１の電極間に交流高電圧を印加してブレークダウン（絶縁破壊）を起こさせる交流スタータである。
なお、その他の構成は、図２に示す同符号の構成に対応するので説明を省略する。
【００２２】
本実施形態の発明においても、何かの理由で、放電ランプ１を覆っている放電ランプ用保護カバーを外し忘れ、放電ランプ用保護カバーを被着した状態で放電ランプ１を点灯しようとすると、交流スタータ２１からの交流高電圧が放電ランプ１および放電ランプ１の端子５，５間に接続されている放電ランプ用保護カバーのコンデンサ回路２０に印加される。しかし、この交流高電圧はコンデンサ回路２０を介してバイパスされるために、放電ランプ１には交流高電圧が印加されず、ブレークダウン（絶縁破壊）に至らず、放電ランプ１は点灯することはない。放電ランプ１が点灯に至らないと、作業者は放電ランプに放電ランプ用保護カバーが取り付けられた状態にあることを確認することができる。
【００２３】
上記の放電ランプ点灯装置の一例として、交流スタータ２１の出力抵抗を１００Ω、出力電圧を３０ｋＶ、パルス周波数１０ＭＨｚ、放電ランプ１の最低ブレークダウン電圧を２ｋＶに設定した場合について考えると、放電ランプ用保護カバーのコンデンサ回路２０のコンデンサ容量を３０００ｐＦに設定すると、放電ランプ用保護カバーが取り付けられている場合、交流スタータ２１の出力電圧は１．５ｋＶに低下するため、放電ランプ１の最低ブレークダウン電圧の２ｋＶを下回ることとなり、放電ランプ１は点灯することはない。
【００２４】
このように、本実施形態の発明においても、放電ランプ１を覆う放電ランプ用保護カバー上に、放電ランプ１の両端子５，５間または両口金３，３間に接続されるコンデンサ回路２０を設けたので、放電ランプ１に放電ランプ用保護カバーを被着された状態で放電ランプ１を点灯しようとすると放電ランプ１が点灯しないため、放電ランプ１に放電ランプ用保護カバーが被着された状態にあることを検知することが可能となる。
【００２５】
図５は、複数個の表面実装型のコンデンサで構成されたコンデンサ回路を有する放電ランプ用保護カバーの構成を示す図であり、図５（ａ）は放電ランプ用保護カバーの平面図、図５（ｂ）は放電ランプ用保護カバーの断面側面図、図５（ｃ）は放電ランプ用保護カバーの等価回路を示す図である。
同図において、２２は放電ランプ用保護カバー、２２１は保護カバー本体、２２２は表面実装型のコンデンサ、２２３は放電ランプ用保護カバー２２上に形成される金属膜ないしは導電塗料等からなる導電路である。
【００２６】
この放電ランプ用保護カバー２２２は、保護カバー本体２２１の表面に表面実装型のコンデンサ２２２が複数個配置され、ここではコンデンサ２２２を導電路２２３に３個直列接続したものを４つ並列に接続して構成した場合を示すものである。なお、この放電ランプ用保護カバー２２も、放電ランプ用保護カバー２２の導電路２２３の両端部（ＡＢ）はそれぞれ放電ランプ１の端子５，５ないし口金３，３間にリード線等を介して接続される。
この放電ランプ用保護カバー２２も、任意個数の表面実装型のコンデンサ２２２を適宜直並列に接続することにより、コンデンサ回路の容量値を必要に応じて任意の値に設定することが可能となる。
【００２７】
次に、本発明の第３の実施形態を図６を用いて説明する。
図６は、放電ランプ用保護カバー上に抵抗回路４２が形成されている放電ランプ用保護カバーによって放電ランプ１が覆われていることを検知する検知回路を備える放電ランプ点灯装置の構成を示す図である。
同図において、２３は放電ランプ１が放電ランプ用保護カバーによって覆われているか否かによって導通状態の変化を検知する検知回路、２３１は放電ランプ１の両端に検知用電圧を印加するために設けられた検知用電源、２３２は直流スタータ１７を介して放電ランプ１両端の電圧を検出する分圧回路、２３３は分圧回路２３２によって検出された検出電圧を所定の閾値と比較し、検出電圧が前記所定の閾値を下回るときは、異常信号を制御回路１８に送出するコンパレータ、２４は制御回路１８に異常信号が入力されると、制御回路１８から出力される通知信号によってアラーム表示する表示ランプ、２５は放電ランプ１を点灯するための制御信号や検知回路２３を動作させるための制御信号を制御回路１８から出力させるスイッチＳＷ、２６は制御回路１８をリセットするためのリセットスイッチＲＳである。
なお、その他の構成は、図２に示す同符号の構成に対応するので説明を省略する。
【００２８】
この放電ランプ点灯装置の動作は、まず、放電ランプ１の点灯に先立って、スイッチＳＷ２５をＯＮすることによって検知回路２３を動作させる。検知回路２３の動作は、スイッチＳＷ２５がＯＮされると、制御回路１８から検知用電圧Ｖｃｃが出力されて検知用電源２３１に供給される。検知用電圧Ｖｃｃは抵抗Ｒ１、ダイオードＤ、直流スタータ１７を介して放電ランプ１の両端子間に印加される。ここで、何かの理由で、放電ランプ１を覆っている放電ランプ用保護カバーを外し忘れ、放電ランプ１に放電ランプ用保護カバーが被着された状態にあるとすると、検知用電源２３１から供給される電流は放電ランプ１には流れないが、放電ランプ１の端子５，５間に接続されている放電ランプ用保護カバー４の抵抗回路４２を介して流れる。そのため、抵抗Ｒ１により検知用電源２３１からの出力電圧が降下する。抵抗回路４２の抵抗値をＲ２とすると、分圧回路２３２において検出される検出電圧はｖ１＝Ｒ２・Ｖｃｃ／（Ｒ１＋Ｒ２）となる。この検出電圧ｖ１は、検知用電圧Ｖｃｃより低い電圧として検出される。一方、放電ランプ１から放電ランプ用保護カバーが外されている場合は、検知用電源２３１からの電流が放電ランプ１には流れないため、検知用電源２３１からの出力電圧は降下せず、分圧回路２３２において検出される検出電圧はｖ２≒Ｖｃｃとなる。このように、分圧回路２３２からは、放電ランプ１に放電ランプ用保護カバーが被着されている場合と被着されていない場合とでは分圧回路２３２では異なる検出電圧ｖが検出されることになる。
【００２９】
分圧回路２３２で検出された検出電圧ｖは、コンパレータ２３３に入力され、所定の閾値と比較され、検出電圧ｖが前記閾値より低い場合は、異常信号が制御回路１８に出力される。制御回路１８では異常信号が入力されると、制御回路１８に設けた通知手段によって表示ランプ２４に通知信号が出力され、放電ランプ１に放電ランプ用保護カバーが被着されていることが表示される。さらに、異常信号が入力された場合は、制御回路１８に設けられた点灯制限手段によって、スイッチング回路１３およびスタータ１７が動作しないように働く。一方、検出電圧が前記閾値より高い場合は、コンパレータ２３３から正常信号が制御回路１８に出力され、制御回路１８からは、検知用電圧Ｖｃｃの供給が停止されると共に、スイッチング回路１３およびスタータ１７が起動されて放電ランプ１の点灯が開始される。
【００３０】
なお、表示ランプ２４が点灯して放電ランプ１に放電ランプ用保護カバーが被着されていることが表示された後に、放電ランプ１から放電ランプ用保護カバーが取り除かれた後は、リセットスイッチＲＳをＯＮすることによって制御回路１８の回路状態はリセットされ、先の点灯制限手段もリセットされる。次に、放電ランプ１を点灯するためには、再びスイッチＳＷをＯＮすると、制御回路１８から検知用電源２３１に検知用電圧Ｖｃｃが再び供給されることによって検知用電源２３１が動作し、放電ランプ１に放電ランプ用保護カバーが被着されているかの検知が開始されるが、放電ランプ１には放電ランプ用保護カバーが被着されていないので、コンパレータ２３３から制御回路１８に正常信号が出力される。その結果、制御回路１８から検知用電圧Ｖｃｃの供給が停止されると共に、スイッチング回路１３およびスタータ１７が起動されて放電ランプ１の点灯が開始される。
【００３１】
このように、本実施形態に係る放電ランプ点灯装置によれば、放電ランプに放電ランプ用保護カバーを被着されている状態で、放電ランプを点灯しようとすると、放電ランプ用保護カバーが被着されていることが表示ランプによって通知され、放電ランプから放電ランプ用保護カバーが取り除かれて初めて、放電ランプの点灯を可能とすることができる。
【００３２】
次に、本発明の第４の実施形態を図７を用いて説明する。
図７は、放電ランプ用保護カバー上にコンデンサ回路が形成されている放電ランプ用保護カバーによって放電ランプ１が覆われていることを検知する検知回路を備える放電ランプ点灯装置の構成を示す図である。
【００３３】
同図において、２７は放電ランプ１が放電ランプ用保護カバーによって覆われているか否かによって導通状態の変化を検知する検知回路、２７１は放電ランプ１の両端に検知用電圧を印加する検知用電源、２７２は交流スタータ２１を介して放電ランプ１両端の電圧を検出する分圧回路、２７３は分圧回路２７２によって検出された検出電圧から不要な高周波波成分を除去するフィルタ回路、２７４はフィルタ回路２７３から出力された検出電圧を整流して直流に変換する整流回路、２７５は整流回路２７４から出力された検出電圧を所定の閾値と比較し、検出電圧が前記所定の閾値を下回るときは、異常信号を制御回路１８に送出するコンパレータ、２４は制御回路１８に異常信号が入力されると、制御回路１８から出力される通知信号によってアラーム表示される表示ランプ、２５は放電ランプ１を点灯するための制御信号や検知回路２７を動作させるための制御信号を制御回路１８から出力させるスイッチＳＷ、２６は制御回路１８をリセットするためのリセットスイッチＲＳである。
なお、その他の構成は、図４に示す同符号の構成に対応するので説明を省略する。
【００３４】
この放電ランプ点灯装置の動作は、まず、放電ランプ１の点灯に先立って、スイッチＳＷ２５をＯＮして検知回路２７を動作させる。検知回路２７の動作は、スイッチＳＷ２５をＯＮすることにより、制御回路１８から検知用電源２７１の高周波発生器に直流電圧が供給され、高周波発生器から高周波電圧が出力されて、トランスＴ、交流スタータ２１を介して放電ランプ１の両端子間に印加される。ここで、放電ランプ１を覆っている放電ランプ用保護カバーを取り除くことを忘れ、放電ランプ１に放電ランプ用保護カバーが被着された状態にあるとすると、検知用電源２７１から供給される電流は放電ランプ１には流れないが、放電ランプ１の端子５，５間に接続されている放電ランプ用保護カバーのコンデンサ回路２０を介して流れる。そのため、分圧回路２７２から電源側を見たときの２次整流平滑回路１５等に備えられるコンデンサからなる電源側のコンデンサ容量をＣ１とし、コンデンサ回路２０のコンデンサ容量をＣ２、高周波発生器の出力電圧をＶｆとするとき、分圧回路２７２において検出される検出電圧はｖ１＝Ｃ１・Ｖｆ／（Ｃ１＋Ｃ２）となる。この検出電圧ｖ１は前記出力電圧Ｖｆより低い電圧として検出される。一方、放電ランプ１から放電ランプ用保護カバーが外されている場合は、検知用電源２７１からの電流が放電ランプ１には流れないため、検知用電源２７１からの出力電圧は降下せず、分圧回路２７２において検出される検出電圧はｖ２≒Ｖｆとなる。
【００３５】
このように、分圧回路２７２からは、放電ランプ１に放電ランプ用保護カバーが被着されている場合と被着されていない場合とでは分圧回路２７２では異なる検出電圧ｖが検出されることになる。
【００３６】
分圧回路２７２で検出された検出電圧ｖは、フィルタ回路２７３、整流回路２７４を介してコンパレータ２７５に入力され、所定の閾値と比較される。検出電圧ｖが前記閾値より低い場合は、コンパレータ２７５から異常信号が制御回路１８に出力される。制御回路１８では異常信号が入力されると、制御回路１８に設けられる通知手段によって表示ランプ２４に放電ランプ１に放電ランプ用保護カバーが被着していることを通知する通知信号が出力される。さらに、異常信号が入力された場合は、制御回路１８に設けられた点灯制限手段によって、スイッチング回路１３および交流スタータ２１が動作しないように働く。一方、検出電圧が前記閾値より高い場合は、コンパレータ２７５から正常信号が制御回路１８に出力され、制御回路１８からは、検知用電源２７１の高周波交流発生器への直流電圧の供給が停止されると共に、スイッチング回路１３および交流スタータ２１が起動されて放電ランプ１が点灯を開始する。
【００３７】
なお、表示ランプ２４が点灯して放電ランプ１に放電ランプ用保護カバーが被着されていることが表示された後に、放電ランプ１から放電ランプ用保護カバーが取り除かれた後は、リセットスイッチＲＳをＯＮすることによって制御回路１８の回路状態はリセットされ、先の点灯制限手段もリセットされる。次に、放電ランプ１を点灯するためには、再びスイッチＳＷをＯＮすると、制御回路１８から検知用電源２７１に直流電圧が再び供給されて検知用電源２７１が動作して、放電ランプ１に放電ランプ用保護カバーが被着されているかの検知が開始されるが、放電ランプ１には放電ランプ用保護カバーが被着されていないので、コンパレータ２７５から制御回路１８に正常信号が出力される。その結果、制御回路１８から検知用電源２７１への直流電圧の供給が停止されると共に、スイッチング回路１３およびスタータ１７が起動されて放電ランプ１の点灯が開始される。
【００３８】
このように、本実施形態に係る放電ランプ点灯装置においても、放電ランプに放電ランプ用保護カバーを被着されている状態で、放電ランプを点灯しようとすると、放電ランプ用保護カバーが被着されていることが表示ランプによって通知され、放電ランプから放電ランプ用保護カバーが取り除かれて初めて、放電ランプの点灯を可能とすることができる。
【００３９】
【発明の効果】
請求項１に記載の発明によれば、放電ランプを覆うための放電ランプ用保護カバー上に、前記放電ランプの両端子間ないし両口金間に接続される抵抗回路を設けたので、放電ランプから放電ランプ用保護カバーを取り除くことを忘れて、放電ランプ用保護カバーが被着された状態で放電ランプを点灯しようとしても、放電ランプが点灯しないために、作業者は放電ランプ用保護カバーが取り付けられた状態にあることを確認することができる。
【００４０】
請求項２に記載の発明によれば、放電ランプを覆うための放電ランプ用保護カバー上に、前記放電ランプの両端子間ないし両口金間に接続されるコンデンサ回路を設けたので、放電ランプから放電ランプ用保護カバーを取り除くことを忘れて、放電ランプ用保護カバーが被着された状態で放電ランプを点灯しようとしても、放電ランプが点灯しないために、作業者は放電ランプ用保護カバーが取り付けられた状態にあることを確認することができる。
【００４１】
請求項３に記載の発明によれば、放電ランプの点灯前に取り外すことが予定されている請求項１または請求項２に記載の放電ランプ用保護カバーで覆われた放電ランプの両端子間に放電ランプの点灯前に検知用電圧を印加し、放電ランプの両端子間の電圧を検出して導通状態を検知する導通検知手段と、該導通検知手段の検知結果に基づき、通知信号を出力する通知手段とを設けたので、放電ランプに放電ランプ用保護カバーを被着されている状態で、放電ランプを点灯しようとすると、放電ランプ用保護カバーが被着されていることが通知されるので、作業者は放電ランプ用保護カバーが取り付けられた状態にあること知ることが可能となる。
【００４２】
請求項４に記載の発明によれば、導通検知手段の検知結果に基づき、放電ランプの点灯を制限する点灯制限手段を設けたので、放電ランプの点灯動作は開始されず、放電ランプから放電ランプ用保護カバーが取り除かれて初めて、放電ランプの点灯を可能とすることができる。
【００４３】
請求項５に記載の発明によれば、放電ランプの両端子間または両口金間に接続された抵抗回路またはコンデンサ回路が設けられた放電ランプ用保護カバーの取り忘れ検知方法であって、放電ランプの始動前に、放電ランプの入力端子間の導通状態が検知されたときは、放電ランプに抵抗回路またはコンデンサ回路が設けられた放電ランプ用保護カバーが被着されていることを通知されるようにしたので、作業者は放電ランプ用保護カバーの取り忘れを防止することができるので、放電ランプ用保護カバーが被着された状態で放電ランプを点灯することを未然に防止することができる。
【図面の簡単な説明】
【図１】放電ランプが第１の実施形態の発明に係る放電ランプ用保護カバーによって覆われている状態を示す平面図である。
【図２】第１の実施形態の発明に係る放電ランプ用保護カバーによって放電ランプが覆われていることを検知することを可能にした放電ランプ点灯装置の構成を示す図である。
【図３】第１の実施形態の発明に係る複数個の表面実装型の抵抗で構成された抵抗回路を有する放電ランプ用保護カバーの構成を示す図である。
【図４】第２の実施形態の発明に係る放電ランプ用保護カバーによって放電ランプが覆われていることを検知することを可能にした放電ランプ点灯装置の構成を示す図である。
【図５】第２の実施形態の発明に係る複数個の表面実装型のコンデンサで構成されたコンデンサ回路を有する放電ランプ用保護カバーの構成を示す図である。
【図６】第３の実施形態の発明に係る、放電ランプ用保護カバーによって放電ランプが覆われていることを検知する検知回路を備える放電ランプ点灯装置の構成を示す図である。
【図７】第４の実施形態の発明に係る、放電ランプ用保護カバーによって放電ランプが覆われていることを検知する検知回路を備える放電ランプ点灯装置の構成を示す図である。
【符号の説明】
１  放電ランプ
２  ランプ封体
３  口金
４  放電ランプ用保護カバー
４１  保護カバー本体
４２  抵抗回路
５  放電ランプ端子、
６  リード線
７  放電ランプ用保護カバー
７１  保護カバー本体
７２  表面実装型の抵抗
７３  導電路
１１  交流電源
１２  １次整流平滑回路
１３  スイッチング回路
１４  昇圧トランス
１５  ２次整流平滑回路
１６  電流電圧検出回路
１７  直流スタータ
１８  制御回路
１９  補助電源回路
２０  コンデンサ回路
２１  交流スタータ
２２  放電ランプ用保護カバー
２２１  保護カバー本体
２２２  表面実装型のコンデンサ
２２３  導電路
２３  検知回路
２３１  検知用電源
２３２  分圧回路
２３３  コンパレータ
２４  表示ランプ
２５  スイッチＳＷ
２６  リセットスイッチＲＳ
２７  検知回路
２７１  検知用電源
２７２  分圧回路
２７３  フィルタ回路
２７４  整流回路
２７５  コンパレータ
【図１】
0003922054.tif 000002
【図２】
0003922054.tif 000003
【図３】
0003922054.tif 000004
【図４】
0003922054.tif 000005
【図５】
0003922054.tif 000006
【図６】
0003922054.tif 000007
【図７】
0003922054.tif 000008